【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
複数の画像ソースから入力された画像を同時或いは単独に表示可能な表示装置であって、
入力画像を表示手段の画面上のどの領域に表示させるか選択する選択手段と、選択した領域の前記画面上での位置を検出する検出手段と、入力画像データ及び前記検出された表示位置情報に基づき入力画像を所定の大きさにスケーリングして表示させる表示制御手段とを有することを特徴とする表示装置。
【請求項２】
前記選択手段による選択情報を表示装置本体に送信する通信手段を有し、前記表示制御手段は、入力画像データの水平解像度・垂直ライン数及び前記検出された表示位置情報に基づき入力画像データの表示データへのスケーリング変倍率を算出し、入力画像を前記スケーリング変倍率に応じた大きさにスケーリングして表示させることを特徴とする請求項１記載の表示装置。
【請求項３】
前記選択手段は、赤外線の送受信を行う選択側送受信部と、該選択手段と目的とする前記検出手段との間の赤外線伝播時間を計数する計数部と、識別符号を付加した情報を発行すると共に該選択手段と目的とする前記検出手段の位置を検出する制御部とを有し、前記検出手段は、赤外線の送受信を行う検出側送受信部と、前記選択手段から送信された識別符号が一致した場合に受信情報を前記選択手段へリピートする比較部とを有すると共に、前記表示手段の画面の水平軸及び垂直軸上に各々配置されていることを特徴とする請求項１又は２記載の表示装置。
【請求項４】
前記選択手段は、前記画面上における表示選択範囲として矩形枠の対角線の一方の点を始点とし他方の点を終点として指定可能であることを特徴とする請求項１乃至３の何れかに記載の表示装置。
【請求項５】
表示選択範囲を示すレイアウト枠を記憶する記憶手段を有し、前記表示制御手段は、前記画面上への表示時に表示画面データとレイアウト枠データを重ね合わせて表示させることを特徴とする請求項１乃至４の何れかに記載の表示装置。
【請求項６】
表示選択範囲が決定した場合に該表示選択範囲に表示させるか否かを操作者に確認及び選択させる確認選択手段を有することを特徴とする請求項１乃至５の何れかに記載の表示装置。
【請求項７】
前記確認選択手段は、オンスクリーンディスプレイであることを特徴とする請求項６記載の表示装置。
【請求項８】
前記確認選択手段は、音声情報の入出力手段であることを特徴とする請求項６記載の表示装置。
【請求項９】
前記表示制御手段は、表示選択範囲が既に表示されている別の入力画像の表示領域と重なった場合は表示選択範囲の大きさを変化させずに表示位置をずらして表示させることを特徴とする請求項１乃至８の何れかに記載の表示装置。
【請求項１０】
前記表示制御手段は、前記表示位置をずらして表示させる際に表示画面分のフレームメモリのバウンダリを超えている場合は仮想空間表示させることを特徴とする請求項９記載の表示装置。
【請求項１１】
複数の画像ソースから入力された画像を同時或いは単独に表示可能な表示装置であって、
表示手段に表示されている複数の画像データから所望の画像データを選択する選択手段と、該選択手段と選択画像との距離を測定する測距手段と、測定に基づき選択画像を所定の大きさにスケーリングして表示させる表示制御手段とを有することを特徴とする表示装置。
【請求項１２】
前記測距手段による測距情報を表示装置本体に送信する通信手段を有し、前記表示制御手段は、前記選択手段の移動距離の差分及び選択画像データの水平解像度・垂直ライン数に基づき選択画像データの表示データへのスケーリング変倍率を算出し、選択画像を前記スケーリング変倍率に応じた大きさにスケーリングして表示させることを特徴とする請求項１１記載の表示装置。
【請求項１３】
前記表示制御手段は、移動距離とスケーリング変倍率との関係を示す参照テーブルに基づき前記スケーリング変倍率を算出することを特徴とする請求項１２記載の表示装置。
【請求項１４】
赤外線の送受信を行う検出側送受信部、前記選択手段から送信された識別符号が一致した場合に受信情報を前記選択手段へリピートする比較部を有すると共に前記表示手段上の異なる少なくとも３点に配置された検出手段を有し、前記測距手段は、前記各検出手段までの各距離を算出して前記選択手段と選択画像との距離を測定することを特徴とする請求項１１乃至１３の何れかに記載の表示装置。
【請求項１５】
複数の画像ソースから入力された画像を同時或いは単独に表示可能な表示装置に適用される画像表示方法であって、
入力画像を表示手段の画面上のどの領域に表示させるかを選択手段を用いて選択する選択ステップと、選択した領域の前記画面上での位置を検出手段を用いて検出する検出ステップと、入力画像データ及び前記検出された表示位置情報に基づき入力画像を所定の大きさにスケーリングして表示させる表示制御ステップとを有することを特徴とする画像表示方法。
【請求項１６】
前記表示制御ステップでは、前記表示位置をずらして表示させる際に表示画面分のフレームメモリのバウンダリを超えている場合は仮想空間表示させることを特徴とする請求項１５記載の画像表示方法。
【請求項１７】
複数の画像ソースから入力された画像を同時或いは単独に表示可能な表示装置に適用される画像表示方法を実行するプログラムを記憶したコンピュータにより読み出し可能な記憶媒体であって、
前記画像表示方法は、入力画像を表示手段の画面上のどの領域に表示させるかを選択手段を用いて選択する選択ステップと、選択した領域の前記画面上での絶対位置を検出手段を用いて検出する検出ステップと、入力画像データ及び前記検出された表示位置情報に基づき入力画像を所定の大きさにスケーリングして表示させる表示制御ステップとを有することを特徴とする記憶媒体。
【請求項１８】
前記選択ステップは、赤外線の送受信を行う選択側送受信ステップと、前記選択手段と目的とする前記検出手段との間の赤外線伝播時間を計数する計数ステップと、識別符号を付加した情報を発行すると共に前記選択手段と目的とする前記検出手段の位置を検出する制御ステップとを有し、前記検出ステップは、赤外線の送受信を行う検出側送受信ステップと、前記選択ステップから送信された識別符号が一致した場合に受信情報を前記選択ステップへリピートする比較ステップとを有し、前記検出ステップで用いる前記検出手段は前記表示手段の画面の水平軸及び垂直軸上に各々配置されていることを特徴とする請求項１７記載の記憶媒体。
【請求項１９】
複数の画像ソースから入力された画像を同時或いは単独に表示可能な表示装置に適用される画像表示方法を実行するプログラムを記憶したコンピュータにより読み出し可能な記憶媒体であって、
前記画像表示方法は、表示手段に表示されている複数の画像データから所望の画像データを選択手段を用いて選択する選択ステップと、前記選択手段と選択画像との距離を測定する測距ステップと、測定に基づき選択画像を所定の大きさにスケーリングして表示させる表示制御ステップとを有することを特徴とする記憶媒体。
【請求項２０】
赤外線の送受信を行う検出側送受信ステップ、前記選択ステップから送信された識別符号が一致した場合に受信情報を前記選択ステップへリピートする比較ステップを有する検出ステップを有し、前記検出ステップで用いる前記検出手段は前記表示手段上の異なる少なくとも３点に配置され、前記測距ステップでは、前記各検出手段までの各距離を算出して前記選択手段と選択画像との距離を測定することを特徴とする請求項１９記載の記憶媒体。
【手続補正２】
【補正対象書類名】明細書
【補正対象項目名】００１３
【補正方法】変更
【補正の内容】
【００１３】
上記目的を達成するために、請求項７記載の本発明は、前記確認選択手段は、オンスクリーンディスプレイであることを特徴とする。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
上記目的を達成するために、請求項１５記載の本発明は、複数の画像ソースから入力された画像を同時或いは単独に表示可能な表示装置に適用される画像表示方法であって、入力画像を表示手段の画面上のどの領域に表示させるかを選択手段を用いて選択する選択ステップと、選択した領域の前記画面上での位置を検出手段を用いて検出する検出ステップと、入力画像データ及び前記検出された表示位置情報に基づき入力画像を所定の大きさにスケーリングして表示させる表示制御ステップとを有することを特徴とする。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】変更
【補正の内容】
【００３１】
上記目的を達成するために、請求項１６記載の本発明は、前記表示制御ステップでは、前記表示位置をずらして表示させる際に表示画面分のフレームメモリのバウンダリを超えている場合は仮想空間表示させることを特徴とする。
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】変更
【補正の内容】
【００３７】
上記目的を達成するために、請求項１７記載の本発明は、複数の画像ソースから入力された画像を同時或いは単独に表示可能な表示装置に適用される画像表示方法を実行するプログラムを記憶したコンピュータにより読み出し可能な記憶媒体であって、前記画像表示方法は、入力画像を表示手段の画面上のどの領域に表示させるかを選択手段を用いて選択する選択ステップと、選択した領域の前記画面上での絶対位置を検出手段を用いて検出する検出ステップと、入力画像データ及び前記検出された表示位置情報に基づき入力画像を所定の大きさにスケーリングして表示させる表示制御ステップとを有することを特徴とする。
【手続補正２０】
【補正対象書類名】明細書
【補正対象項目名】００３８
【補正方法】変更
【補正の内容】
【００３８】
上記目的を達成するために、請求項１８記載の本発明は、前記選択ステップは、赤外線の送受信を行う選択側送受信ステップと、前記選択手段と目的とする前記検出手段との間の赤外線伝播時間を計数する計数ステップと、識別符号を付加した情報を発行すると共に前記選択手段と目的とする前記検出手段の位置を検出する制御ステップとを有し、前記検出ステップは、赤外線の送受信を行う検出側送受信ステップと、前記選択ステップから送信された識別符号が一致した場合に受信情報を前記選択ステップへリピートする比較ステップとを有し、前記検出ステップで用いる前記検出手段は前記表示手段の画面の水平軸及び垂直軸上に各々配置されていることを特徴とする。
【手続補正２１】
【補正対象書類名】明細書
【補正対象項目名】００３９
【補正方法】変更
【補正の内容】
【００３９】
上記目的を達成するために、請求項１９記載の本発明は、複数の画像ソースから入力された画像を同時或いは単独に表示可能な表示装置に適用される画像表示方法を実行するプログラムを記憶したコンピュータにより読み出し可能な記憶媒体であって、前記画像表示方法は、表示手段に表示されている複数の画像データから所望の画像データを選択手段を用いて選択する選択ステップと、前記選択手段と選択画像との距離を測定する測距ステップと、測定に基づき選択画像を所定の大きさにスケーリングして表示させる表示制御ステップとを有することを特徴とする。
【手続補正２２】
【補正対象書類名】明細書
【補正対象項目名】００４０
【補正方法】変更
【補正の内容】
【００４０】
上記目的を達成するために、請求項２０記載の本発明は、赤外線の送受信を行う検出側送受信ステップ、前記選択ステップから送信された識別符号が一致した場合に受信情報を前記選択ステップへリピートする比較ステップを有する検出ステップを有し、前記検出ステップで用いる前記検出手段は前記表示手段上の異なる少なくとも３点に配置され、前記測距ステップでは、前記各検出手段までの各距離を算出して前記選択手段と選択画像との距離を測定することを特徴とする。
【手続補正２３】
【補正対象書類名】明細書
【補正対象項目名】０１３０
【補正方法】変更
【補正の内容】
【０１３０】
【発明の効果】
以上説明したように、請求項１乃至１０記載の表示装置によれば、入力画像を表示手段の画面上のどの領域に表示させるかを選択し、選択領域の前記画面上での位置を検出し、入力画像データ及び前記検出された表示位置情報に基づき入力画像を所定の大きさにスケーリングして表示させる制御を行い、更に、選択手段と目的とする検出手段との間の赤外線伝播時間を計数することで両者の位置を検出する制御を行うため、従来は不可能であった、システムの初期使用時に、マルチ入力画面の表示手段上の位置を確認したレイアウト作業がディスプレイドライバの煩雑な設定無しに実現でき、これにより、複数の画像ソースを用いた会議やプレゼンテーションにおいてスムーズ且つ快適な操作環境をユーザにもたらすことができるという効果がある。
【手続補正２４】
【補正対象書類名】明細書
【補正対象項目名】０１３１
【補正方法】変更
【補正の内容】
【０１３１】
また、請求項１１乃至１４記載の表示装置によれば、表示手段に表示されている複数の画像データから所望の画像データを選択し、選択手段と選択画像との距離を測定し、測定に基づき選択画像を所定の大きさにスケーリングして表示させる制御を行い、更に、表示手段上の異なる３点に配置された各検出手段までの各距離を算出することで選択手段と選択画像との距離を測定する制御を行うため、従来は不可能であった、プレゼンテーション使用時に、不意の拡大・縮小があったときにも、プレゼンテータはプレゼンテーション用の選択手段（表示ポインタ）のストロークアクションのみでこの要求に応じることができ、これにより、複数の画像ソースを用いた会議やプレゼンテーションにおいてスムーズ且つ快適な操作環境をユーザにもたらすことができるという効果がある。
【手続補正２５】
【補正対象書類名】明細書
【補正対象項目名】０１３２
【補正方法】変更
【補正の内容】
【０１３２】
また、請求項１５、１６記載の画像表示方法によれば、画像表示方法が適用される表示装置において、従来は不可能であった、システムの初期使用時に、マルチ入力画面の表示手段上の位置を確認したレイアウト作業がディスプレイドライバの煩雑な設定無しに実現でき、これにより、複数の画像ソースを用いた会議やプレゼンテーションにおいてスムーズ且つ快適な操作環境をユーザにもたらすことができるという効果がある。
【手続補正２６】
【補正対象書類名】明細書
【補正対象項目名】０１３３
【補正方法】削除
【補正の内容】
【手続補正２７】
【補正対象書類名】明細書
【補正対象項目名】０１３４
【補正方法】変更
【補正の内容】
【０１３４】
また、請求項１７及び１８記載の記憶媒体によれば、記憶媒体から画像表示方法を読み出して表示装置で実行することで、従来は不可能であった、システムの初期使用時に、マルチ入力画面の表示手段上の位置を確認したレイアウト作業がディスプレイドライバの煩雑な設定無しに実現でき、これにより、複数の画像ソースを用いた会議やプレゼンテーションにおいてスムーズ且つ快適な操作環境をユーザにもたらすことができるという効果がある。
【手続補正２８】
【補正対象書類名】明細書
【補正対象項目名】０１３５
【補正方法】変更
【補正の内容】
【０１３５】
また、請求項１９及び２０記載の記憶媒体によれば、記憶媒体から画像表示方法を読み出して表示装置で実行することで、従来は不可能であった、プレゼンテーション使用時に、不意の拡大・縮小があったときにも、プレゼンテータはプレゼンテーション用の選択手段（表示ポインタ）のストロークアクションのみでこの要求に応じることができ、これにより、複数の画像ソースを用いた会議やプレゼンテーションにおいてスムーズ且つ快適な操作環境をユーザにもたらすことができるという効果がある。